(57)【要約】【課題】パッケージ型原子炉としての性能を維持しつつ、配管ないし支持構造物の配置の容易化を図ったマルチ型原子炉を提供することを課題とする。【解決手段】本発明のマルチ型原子炉は、断面が円形または正多角形の筒状の黒鉛反射体（１２Ａ）と、前記黒鉛反射体の内面によって規定される円筒型空間の内部に配置され、それぞれ炉心を内蔵する複数のカセット（１４）とを備え、前記円筒型空間の中心軸と中心軸が一致する円筒型のカセット一つ分の空間を空けた構成である。【選択図】図７
2005274335.tif 000002
【特許請求の範囲】
【請求項１】
断面が円形または正多角形の筒状の黒鉛反射体と、
前記黒鉛反射体の内面によって規定される円筒型空間または正多角形筒状空間のうち、前記円筒型空間または正多角形筒状空間の中心軸を除く部分に配置され、それぞれ炉心を内蔵する複数のカセットと
を備えるマルチ型原子炉。
【請求項２】
前記黒鉛反射体の内面によって規定される円筒型空間内または正多角形筒状空間に、この円筒型空間または正多角形筒状空間の中心軸と中心軸が一致する円筒型のカセット一つ分の空間を空けたことを特徴とする請求項１記載のマルチ型原子炉。
【請求項３】
前記円筒型空間または前記正多角形筒状空間の中心軸を中心とする同心円状の円周上における前記カセットの配置を、当該円周上に並べることのできるカセットの最大数よりも少ないカセット数としたことを特徴とする請求項１または２記載のマルチ型原子炉。
【請求項４】
前記円筒型空間または前記正多角形筒状空間の中心軸を中心とする同心円状の円周のうちの最も外側の円周上におけるカセットの配置を、相隣接するカセット間にカセット一つ分の空間を空けた配置にしたことを特徴とする請求項１ないし３のいずれか一項記載のマルチ型原子炉。
【請求項５】
同心円状の円周の最も外側の円周上におけるカセットが配置されない部分において前記黒鉛反射体の内周面より内側に第２黒鉛反射体を備えることを特徴とする請求項４記載のマルチ型原子炉。
【発明の詳細な説明】
【技術分野】
【０００１】
この発明は、複数の炉心を有し、電力系統網に繋がらない非ネットワーク電源として利用され、独立した電力を供給する共に熱水供給源となるマルチ型原子炉に関する。
【背景技術】
【０００２】
図１１は、従来のパッケージ型原子炉の一例である一体型加圧水炉の構成を概略的に示す図である。
図１１によれば、原子炉容器１内のダウンカマー部２に蒸気発生器３が設けられている。原子炉容器１の間の上方には原子炉停止時に挿入される制御棒５及びそれを駆動する制御棒駆動装置６が配置されている。ダウンカマー部２、炉心４、ライザー７を通って原子炉容器１内を循環する一次冷却材８は、炉心４において核分裂による熱で温められ、蒸気発生器３において図示しない二次冷却材との間で熱交換し冷却される。一次冷却材８から熱を奪い加熱されて蒸気となった二次冷却材は、図示しないタービンに導かれ、タービンによって駆動される発電機により発電される（特許文献１参照。）。
【０００３】
また、このような一体型加圧水炉をさらに改良し、炉心や蒸気発生器を圧力管に収納した蒸気供給カセットや、このような蒸気供給カセットを複数備えるようにしたマルチ炉心型原子炉があった。
このマルチ炉心型原子炉では、中心の蒸気供給カセットの周りに同心円上に複数の蒸気供給カセットが配置されていた。
【０００４】
【特許文献１】特開平０６−０４３２７９号公報
【発明の開示】
【発明が解決しようとする課題】
【０００５】
しかしながら、従来のマルチ型原子炉には下記のような課題があった。
上述のように、マルチ型原子炉では、中心の蒸気供給カセットの周りに同心円上に複数の蒸気供給カセットが配置されていた。
しかし、各蒸気供給カセットに収納される各蒸気発生器との間で二次冷却材を循環させるための配管を各蒸気供給カセットに接続すると共に、各蒸気供給カセットを支持構造物で支持する必要があるため、格納容器の中心側に配設される蒸気供給カセット用の配管ないし支持構造物は、周囲の蒸気供給カセットの配管ないし支持構造物と干渉し易くなるため、各構成要素の配置の複雑化及び困難化を招来していた。
【０００６】
この発明は、上述のような課題を解決するためになされたものであり、パッケージ型原子炉としての性能を維持しつつ、配管ないし支持構造物の配置の容易化を図ったマルチ型原子炉を提供することを目的とする。
【課題を解決するための手段】
【０００７】
本発明のマルチ型原子炉は、断面が円形または正多角形の筒状の黒鉛反射体（１２Ａ）と、前記黒鉛反射体の内面によって規定される円筒型空間のうち、前記円筒型空間の中心軸を除く部分に配置され、それぞれ炉心を内蔵する複数のカセット（１４）とを備える（図７参照）。
【０００８】
また、前記黒鉛反射体（１２Ａ）の内面によって規定される円筒型空間内に、この円筒型空間の中心軸と中心軸が一致する円筒型のカセット一つ分の空間を空けたことを特徴とする請求項１記載のマルチ型原子炉（図７参照）。
【０００９】
また、前記円筒型空間の中心軸を中心とする同心円状の円周上における前記カセット（１４）の配置を、当該円周上に並べることのできるカセットの最大数よりも少ないカセット数とした（図８参照）。
【００１０】
また、前記円筒型空間の中心軸を中心とする同心円状の円周のうちの最も外側の円周上におけるカセット（１４）の配置を、相隣接するカセット間にカセット一つ分の空間を空けた配置にした（図８参照）。
【００１１】
さらに、同心円状の円周の最も外側の円周上におけるカセット（１４）が配置されない部分において黒鉛反射体の内周面より内側に第２黒鉛反射体（３２Ｂ、３２Ｃ）を備える（図９及び図１０参照）。
【発明の効果】
【００１２】
本発明のマルチ型原子炉は、断面が円形または正多角形の筒状の黒鉛反射体（１２Ａ）と、前記黒鉛反射体の内面によって規定される円筒型空間のうち、前記円筒型空間の中心軸を除く部分に配置され、それぞれ炉心を内蔵する複数のカセット（１４）とを備えるので、カセットの配管ないし支持構造物の配置及び取り扱い性が容易になり、しかも中心にもカセット拘束リング支持柱（１５Ａ）及びカセット拘束リング支持枠（１５Ｃ）を配置でき、各カセットの支持剛性を向上させると共に、コストダウンも図ることができる。
【００１３】
また、前記黒鉛反射体（１２Ａ）の内面によって規定される円筒型空間内に、この円筒型空間の中心軸と中心軸が一致する円筒型のカセット一つ分の空間を空けたので、カセット（１４）の配管ないし支持構造物の配置及び取り扱い性が容易になり、しかも中心にもカセット拘束リング支持柱（１５Ａ）及びカセット拘束リング支持枠（１５Ｃ）を配置でき、各カセットの支持剛性を向上させると共に、コストダウンも図ることができる。
【００１４】
また、前記円筒型空間の中心軸を中心とする同心円状の円周上における前記カセット（１４）の配置を、当該円周上に並べることのできるカセットの最大数よりも少ないカセット数としたので、カセット間の間隙を通じてカセットの配管ないし支持構造物の配置及び取り扱い性が容易になる。
【００１５】
また、前記円筒型空間の中心軸を中心とする同心円状の円周のうちの最も外側の円周上におけるカセット（１４）の配置を、相隣接するカセット間にカセット一つ分の空間を空けた配置にしたので、カセット間の間隙を通じてカセットの配管ないし支持構造物の配置及び取り扱い性が容易になる。
【００１６】
さらに、同心円状の円周の最も外側の円周上におけるカセット（１４）が配置されない部分において黒鉛反射体の内周面第２黒鉛反射体（３２Ｂ、３２Ｃ）を備えるので、同心円状の円周のうちの最も外側の円周上におけるカセットの配置を、相隣接するカセット間にカセット一つ分の空間を空けた配置にした場合において、運転時反応度及び炉停止余裕を増加させることができる。
【発明を実施するための最良の形態】
【００１７】
（実施例１）
図１は、本発明の実施例１に係るマルチ型原子炉の構造を概略的に示す部分断面図である。
図２は、図１に示すマルチ原子炉の構造を概略的に示す垂直断面図である。
図３は、図１に示すマルチ原子炉の構造を概略的に示す上面図である。
【００１８】
図１ないし図３に示すように、格納容器１０内の下部には水平断面が円形の水遮へい槽１１が水遮へい槽支持槽１１Ａを介して配設される。水遮へい槽１１内には、黒鉛反射体槽１２及びカセット収納槽１３が配設されている。黒鉛反射体槽１２の上部外側には黒鉛反射体支持脚１２Ｂが備え付けられており、この黒鉛反射体支持脚１２Ｂにより、黒鉛反射体槽１２は水遮へい槽１１が水遮へい槽支持槽１１Ａに固定されている。また、黒鉛反射体槽の下部外側には、黒鉛反射体槽振止１２Ｃが設けられており、水遮へい槽１１の内側で黒鉛反射体槽１２を支持することにより、黒鉛反射体槽１２が振れないようにしている。
【００１９】
水遮へい槽１１と黒鉛反射体槽１２との間には水が充填され、これが水遮へい１１Ｂとなり、また、黒鉛反射体槽１２とカセット収納槽１３との間には黒鉛反射体１２Ａが充填されている。
カセット収納槽１３内には、後述する複数のカセット１４が設置されている。このカセットの周囲を囲むように、格納容器の内壁にメンテナンス台１０Ａが設けられている。
なお、カセット１４は、後述する支持構造物１５によってカセット収納槽１３内に固定されている。
【００２０】
図４及び図５は、本発明の実施例１に係るマルチ型原子炉のカセットを支持する支持構造物の構造を概略的に示す上面図及び斜視図である。
図４及び図５に示すように、支持構造物１５は、カセット収納槽１３内において複数のカセット１４を支持するためのカセット拘束リング支持柱１５Ａ、カセット拘束リング１５Ｂ及びカセット拘束リング支持枠１５Ｃを備える。
【００２１】
カセット拘束リング支持柱１５Ａは、図４に示すように、カセット収納槽１３の内周に沿って配設されると共に、その中心部にも配設されている。各カセット拘束リング支持柱１５Ａは、カセット収納槽１３の中心部および内周に沿ったリング状のカセット拘束リング支持枠１５Ｃを支持している。
【００２２】
また、カセット拘束リング１５Ｂは、カセット１４の外周を拘束して支持するリング状部材と、このリング状部材をカセット拘束リング支持枠１５Ｃに固定するためのアーム部材とから構成される支持具である。
各カセット１４は、図４に示すように、カセット収納槽１３内で網目状に張り巡らされたカセット拘束リング支持枠１５Ｃによって固定されている。
【００２３】
図６は、本発明の実施例１に係るマルチ型原子炉に含まれるカセットの構造を概略的に示す断面図である。
図６に示すように、カセット１４は、上下端を閉じた細長い円筒状の圧力管１６を備えており、この圧力管１６は、ジルコニウム合金ないしはステンレス鋼等の金属管、あるいはそれを圧力管ライナとしてその外周面に炭素繊維を巻いて強度を補強した強化繊維層とで構成されている。
【００２４】
圧力管１６内にはシュラウド１７が配設され、さらにその内部にカセット内炉心１８が配設されている。
圧力管１６内には、矢印Ａで示す高さまで一次冷却材が充填されており、圧力管１６とシュラウド１７との間にダウンカマー部１９が形成され、液相の一次冷却材が矢印Ｂ、Ｃで示される方向に循環するように構成されている。
【００２５】
一次側冷却材と二次側冷却材とを熱交換する蒸気発生器２０は、カセット１４の外部に設けられている。ライザー管２１は、カセット１４の上部と蒸気発生器２０の上部を接続するように配設されており、一方、復水管２２はカセット１４の一次冷却材の液面より下となる位置と、蒸気発生器２０の一次冷却材の液面より下となる位置とを接続するように配設されている。
なお、蒸気発生器２０内の一次冷却材の液面は、カセット１４内の一次冷却材の液面（矢印Ａで示す）と同じ高さに設定されている。
【００２６】
マルチ型原子炉の通常運転時において、カセット１４内の一次冷却材は気液二相にて自然循環し、カセット内炉心１８の反応熱により温められ、蒸気がライザー管２１内を（矢印Ｄの方向に）移動して蒸気発生器２０において二次冷却材との間で熱交換が行われる。冷却された一次冷却材は復水管２２を通じて（矢印Ｅの方向に移動して）カセット１４内に戻り、ダウンカマー部１９を下降し、再びカセット内炉心１８において加熱される。
【００２７】
蒸気発生器２０において、一次冷却材から熱を奪い加熱されて蒸気となった二次冷却材は、主蒸気管２３を介して（矢印Ｆの方向に移動して）図示しないタービンに導かれ、タービンによって駆動される発電機により発電される。タービンを通過して冷却された二次冷却材は、主給水管２４を通じて（矢印Ｇの方向に移動して）再び蒸気発生器２０内に戻される。
このように、それぞれのカセット１４から、二次冷却材が蒸気となってタービンに供給され発電に供され、カセット１４の数に応じて所望の発電量を得ることができる。
【００２８】
図７は、本発明の実施例１に係るマルチ型原子炉における黒鉛反射体とカセットの配置関係を概略的に示す断面図である。なお、実際には、黒鉛反射体１２Ａの内側にはカセット収納槽１３（図２参照）が存在し、カセット１４の周囲にはライザー管２１や復水管２２、あるいは、支持構造物１５等が存在するが、説明の便宜上省略する。
【００２９】
図７に示す形態では、断面が円形または正多角形の筒状の黒鉛反射体１２Ａの内面によって規定される円筒型空間内に、この円筒型空間の中心軸と中心軸が一致する円筒型のカセット一つ分の空間を空けた状態で同心円状にカセット１４を１８個配置している。なお、カセット一つ分の空間を空けるとは、単にカセット一つ分の空間を空ける場合の他、カセット同士を隣接させて配置する場合に必要となるカセット間ピッチも含ませた領域（すなわちカセット一つ分の空間よりカセット間のピッチ分だけ広い領域）を空ける場合も含むこととする。各カセット１４の間には空気が充満されている。
【００３０】
ここで、「断面が円形の筒状の黒鉛反射体１２Ａの内面によって規定される円筒型空間」とは、その円筒型空間の軸方向長さは、断面が円形の黒鉛反射体１２Ａの軸方向長さによって限られるものではなく、図２に示すように、黒鉛反射体１２Ａの上方側にはカセット１４が黒鉛反射体１２Ａよりも延出しているが、このような状態でも「断面が円形の筒状の黒鉛反射体１２Ａの内面によって規定される円筒型空間」に各カセット１４は収まっているということとする。
【００３１】
すなわち、１８個のカセット１４は、この黒鉛反射体１２Ａの内面によって規定される円筒型空間に、カセット１４を同心円状に１９個（中心に１個、その周りに６個、さらにその周りに１２個）を詰め込んで並べた状態から、中心の１個を取り除いた状態に配置されている。
【００３２】
このようにカセット１４を配置した場合における燃焼初期の中性子実効増倍係数（Ｋｅｆｆ）は、中心にもカセットを配置した場合（すなわち１９個のカセットを配置した場合）に比べて１％程度低下したに過ぎなかった。
【００３３】
また、従来、中心に配置するカセットの支持や配管が最も困難であり、コストも掛かっていたが、中心に配置しないので、カセット１４の配管ないし支持構造物の配置及び取り扱い性が容易になり、しかも中心にもカセット拘束リング支持柱１５Ａ及びカセット拘束リング支持枠１５Ｃを配置できるので、各カセット１４の支持剛性を向上させることができ、耐震性等の強度的な安全性の向上及び設備簡素化によるコストダウンを図ることができる。
【００３４】
また、このように中心に配置しなくても、中性子実効増倍係数（Ｋｅｆｆ）は約１％低下するに過ぎないため、連続運転期間が若干短縮されてしまうが、配置そのものにより炉心特性に対する制限条件に抵触することはないため、原子力発電として用いる場合には所望の発電量を得ることができ、実用上は問題が生じない。
【００３５】
なお、以上の説明では、本来中心に位置するカセットを一つだけ取り除いた場合について説明したが、本発明の範囲はこれに限定されるものではなく、核炉心特性への影響が軽微であれば、黒鉛反射体１２Ａの内面によって規定される円筒型空間のうち、この円筒型空間の中心軸を除く部分にカセットを配置する構成であればよい。従って、例えば、黒鉛反射体１２Ａの内面によって規定される円筒型空間の中心軸を含む空間は、カセット１４一つ分より小さくてもよい。
【００３６】
また、図７に示す同心円状の二重の円のうちの内側の円上において、カセット一つ分の間隔を空けてカセットを配置してもよいし（すなわち、この場合、内側の同心円上には３つのカセットが配置され、カセットの数は１５個となる）、それぞれの円周上に配置するカセットの数を変更してもよい。それぞれの円周上に配置するカセットの数を変更する場合は、同心円状の各円周上に並べることのできるカセットの最大数よりも少ないカセット数とすればよい。
【００３７】
また、以上の説明では、カセット１４が内部に蒸気発生器２０を収納していない場合について説明したが、カセットが蒸気発生器を内部に備える蒸気供給カセットを黒鉛反射体１２Ａに対して上述のカセット１４と同様に配置することもできる。
【００３８】
（実施例２）
図８は、本発明の実施例２に係るマルチ型原子炉における黒鉛反射体とカセットの配列関係を概略的に示す断面図である。実施例１に係るマルチ型原子炉との違いは、カセットの配列だけであり、その他の構成は全て実施例１のマルチ型原子炉に準じ、その説明を省略する。また、実際には、黒鉛反射体１２Ａの内側にはカセット収納槽１３（図２参照）が存在し、カセット１４の周囲にはライザー管２１や復水管２２、あるいは、支持構造物１５等が存在するが、説明の便宜上省略する。
【００３９】
図８に示すように、本発明の実施例２に係るマルチ型原子炉では、実施例１と同様に、断面が円形の筒状の黒鉛反射体１２Ａの内面によって規定される円筒型空間の中央部に、この円筒型空間の中心軸と中心軸が一致する円筒型のカセット一つ分の空間を空けると共に、同心円状の二重の円周のうちの外側の円周上におけるカセットの配置を、相隣接するカセット間にカセット一つ分の空間を空けたものにしている。
すなわち、中心にカセット１４の一つ分の空間を空けた状態で、二重の同心円の内側の円周上には実施例１の場合と同様に６個のカセットを配置するが、外側の円周上にはカセット一つ分の空間を隔てて均等に６個のカセットを配置する。
【００４０】
このようにカセットを配置した場合における燃焼初期の中性子実効増倍係数（Ｋｅｆｆ）は、中心にカセット１４を配置し、かつ、最も外側の円周上に１２個のカセットを配置した場合（すなわち１９個のカセットを配置した場合）に比べて低下するが、十分に余裕を持った設計対応が可能である。
【００４１】
このように、中心にカセット１４の一つ分の空間を空けると共に、同心円状の円周のうちの最も外側の円周上において、相隣接するカセット間にカセット一つ分の空間を空けることにより、特に内側の円周上に配置されるカセット１４のメンテナンスが容易になる。また、中心にもカセット拘束リング支持柱１５Ａ及びカセット拘束リング支持枠１５Ｃを配置できるので、各カセット１４の支持剛性を向上させることができ、耐震性等の強度的な安全性の向上及び設備簡素化によるコストダウンを図ることができる。
【００４２】
また、このような配置でも、黒鉛反射体の円筒型の内部空間の中心軸上及び二重の同心円上に詰めてカセットを配置する場合（１９個配置）に比べて、中性子実効増倍係数（Ｋｅｆｆ）は低下するため、連続運転期間が短縮されてしまうが、配置そのものにより炉心特性に対する制限条件に抵触することはないため、原子力発電として用いる場合には所望の発電量を得ることができ、実用上は問題が生じない。
【００４３】
なお、実施例２では、中心にカセット１４の一つ分の空間を空けると共に、同心円状の円周が二重の場合であって、かつ、外側の円周上におけるカセットの配置をカセット一つ分空けた場合について説明したが、本発明の範囲はこのような形態に限定されるものではない。
【００４４】
従って、例えば、同心円状の円周は３重あるいはそれ以上であってもよく、さらに、いずれの円周上においてもカセット間に間隔を空けて配置してもよい。
また、断面が円形の筒状の黒鉛反射体１２Ａの内面によって規定される円筒型空間の中心軸を中心とする同心円状の最も外側の円周上におけるカセット１４の配置を、当該円周上に並べることのできるカセットの最大数よりも少ないカセット数とするのであれば、カセット１４の配置を任意に選択することができる。
【００４５】
（実施例３）
図９は、本発明の実施例３に係るマルチ型原子炉における黒鉛反射体とカセットの配列関係を概略的に示す断面図である。この実施例３に係るマルチ型原子炉は、実施例２に係るマルチ型原子炉の黒鉛反射体１２Ａの形状を改良したものであり、その他の構成は全て実施例２のマルチ型原子炉に準じ、その説明を省略する。また、実際には、黒鉛反射体の内側にはカセット収納槽１３（図２参照）が存在し、カセット１４の周囲にはライザー管２１や復水管２２、あるいは、支持構造物１５等が存在するが、説明の便宜上省略する。
【００４６】
本発明の実施例３に係るマルチ型原子炉の黒鉛反射体３２Ａは、同心円状の二重の円周の最も外側の円周上におけるカセットが配置されない部分で径方向内側に突出する第２黒鉛反射体３２Ｂを備える。
１２個のカセット１４の配置は、断面が円形の筒状の黒鉛反射体３２Ａの内面によって規定される円筒型空間の中央部に、この円筒型空間の中心軸と中心軸が一致する円筒型のカセット一つ分の空間を空けると共に、同心円状の二重の円周のうちの外側の円周上におけるカセットの配置を、相隣接するカセット間にカセット一つ分の空間を空けたものであり、実施例２にかかるカセットの配置に準ずる。
【００４７】
このように、黒鉛反射体３２Ａの内面から径方向内側に突出する第２黒鉛反射体３２Ｂを備えることにより、マルチ型原子炉の中性子実効増倍係数（Ｋｅｆｆ）は、第２黒鉛反射体３２Ｂを備えない実施例２のマルチ型原子炉に比べて、５％程度増加し、炉停止余裕も５％程度増加した。
【００４８】
このように、中心にカセット１４の一つ分の空間を空け、同心円状の二重の円周のうちの外側の円周上において、相隣接するカセット間にカセット一つ分の空間を空けると共に、同心円状の二重の円周の外側の円周上におけるカセットが配置されない部分で径方向内側に突出する第２黒鉛反射体３２Ｂを備えることにより、炉心への中性子吸収効率を向上させ、少ないカセット数でも長い連続運転期間を達成（１２カセットでも１８カセットの場合とほぼ連続運転期間を達成できるという意味）できるため、燃料コストを低減させるという効果がある。
【００４９】
また、以上の説明では、中心にカセット１４の一つ分の空間を空け、同心円状の二重の円周のうちの外側の円周上において、相隣接するカセット間にカセット一つ分の空間を空けると共に、同心円状の二重の円周の外側の円周上におけるカセットが配置されない部分で黒鉛反射体の内周面より内側に第２黒鉛反射体３２Ｂを備えるカセット及び黒鉛反射体の配置について説明したが、本発明の範囲はこのような形態に限定されるものではない。
【００５０】
従って、同心円状の円周の最外周の円周上におけるカセットが配置されない部分に内側に突出する第２黒鉛反射体を備えるのであれば、例えば、中心にカセットが配置されていてもよく、また、同心円状の円周は３重あるいはそれ以上であってもよく、さらに、いずれの円周上においてもカセット間に間隔を空けて配置してもよい。
また、図１０に示すように、本来カセットを配置する場所にカセットと同一サイズの黒鉛反射体３２Ｃを配設してもよい。
【００５１】
また、以上の説明では、断面が円形の筒状の黒鉛反射体１２Ａを用いた場合について説明したが、黒鉛反射体は、断面が正多角形の筒状で構成されていてもよく、この場合においても上述の場合と同様の効果を得ることができる。
【図面の簡単な説明】
【００５２】
【図１】本発明の実施例１に係るマルチ型原子炉の構造を概略的に示す部分断面図である。
【図２】図１に示すマルチ原子炉の構造を概略的に示す垂直断面図である。
【図３】図１に示すマルチ原子炉の構造を概略的に示す上面図である。
【図４】本発明の実施例１に係るマルチ型原子炉のカセットを支持する支持構造物の構造を概略的に示す上面図である。
【図５】本発明の実施例１に係るマルチ型原子炉のカセットを支持する支持構造物の構造を概略的に示す斜視図である。
【図６】本発明の実施例１に係るマルチ型原子炉に含まれるカセットの構造を概略的に示す断面図である。
【図７】本発明の実施例１に係るマルチ型原子炉における黒鉛反射体とカセットの配置関係を概略的に示す断面図である。
【図８】本発明の実施例２に係るマルチ型原子炉における黒鉛反射体とカセットの配列関係を概略的に示す断面図である。
【図９】本発明の実施例３に係るマルチ型原子炉における黒鉛反射体とカセットの配列関係を概略的に示す断面図である。
【図１０】本発明の実施例３に係るマルチ型原子炉における黒鉛反射体とカセットの配列関係を概略的に示す断面図である。
【図１１】従来のパッケージ型原子炉の一例である一体型加圧水炉の構成を概略的に示す図である。
【符号の説明】
【００５３】
１０  格納容器、１０Ａ  メンテナンス台、１１  水遮へい槽、１１Ａ  水遮へい槽支持槽、１１Ｂ  水遮へい、１２  黒鉛反射体槽、１２Ａ、３２Ａ  黒鉛反射体、１２Ｂ  黒鉛反射体支持脚、１３  カセット収納槽、１４  カセット、１５  支持構造物、１５Ａ  カセット拘束リング支持柱、１５Ｂ  カセット拘束リング、１５Ｃ  カセット拘束リング支持枠、１６  圧力管、１７  シュラウド、１８  カセット内炉心、１９  ダウンカマー部、２０  蒸気発生器、２１  ライザー管、２２  復水管、２３  主蒸気管、２４  主給水管、３２Ｂ、３２Ｃ  黒鉛反射体。
【図１】
2005274335.tif 000003
【図２】
2005274335.tif 000004
【図３】
2005274335.tif 000005
【図４】
2005274335.tif 000006
【図５】
2005274335.tif 000007
【図６】
2005274335.tif 000008
【図７】
2005274335.tif 000009
【図８】
2005274335.tif 000010
【図９】
2005274335.tif 000011
【図１０】
2005274335.tif 000012
【図１１】
2005274335.tif 000013